(57)【要約】  【課題】  内部の無駄な空間が極力少なくなるように構成部品を配置することにより、さらなる小型化が可能な記録装置を提供すること。  【解決手段】  複合機１は、ケース本体２と、メイン制御基板５０と、カートリッジホルダ４１とを備えており、ケース本体２の記録ユニット２１よりも前方の位置には記録紙Ｐが排出される排出空間１２ｂを含む搬送空間１２が形成されている。そして、メイン制御基板５０は、前方から見て搬送空間１２の上方に水平に配設され、記録ユニット２１は、搬送空間１２よりも後方において、その上端位置がメイン制御基板５０と略同じ高さ位置になるように配設され、さらに、カートリッジホルダ４１は、搬送空間１２及びメイン制御基板５０の側方で、且つ、上下方向においてメイン制御基板５０の上端位置と搬送空間１２の下端位置の間に収まって配設されている。【選択図】  図９
2006035662.tif 000002
【特許請求の範囲】
【請求項１】
被記録媒体を前後方向に搬送する搬送手段と、この搬送手段により搬送される被記録媒体にインクを吐出するインクジェットヘッドを有する記録部とを備えた記録装置であって、
前記搬送手段及び前記記録部を収容する筐体と、
この記録装置の動作を制御する制御基板と、
前記インクジェットヘッドに供給されるインクを貯留するインクカートリッジが保持されるカートリッジ保持部とを備え、
前記筐体内の前記記録部の前方の位置には、少なくとも前記記録部により記録された前記被記録媒体が排出される排出空間を含む媒体搬送空間が形成され、
前記制御基板は、前方から見て前記媒体搬送空間の上方に水平に配設され、
前記記録部は、前記媒体搬送空間よりも後方において、その上端位置が前記制御基板と略同じ高さ位置になるように配設され、
前記カートリッジ保持部は、前方から見て少なくともその一部分が前記媒体搬送空間の一方の側方に位置し、且つ、上下方向において前記制御基板の上端位置と前記媒体搬送空間の下端位置の間に収まって配設されていることを特徴とする記録装置。
【請求項２】
前記制御基板は、前記カートリッジ保持部の上方に延出していないことを特徴とする請求項１に記載の記録装置。
【請求項３】
前方から見て前記媒体搬送空間の他方の側方の空間には、電源供給部が配設されていることを特徴とする請求項１又は２に記載の記録装置。
【請求項４】
前記制御基板は、前記電源供給部の上方まで延出して配設されていることを特徴とする請求項１〜３の何れかに記載の記録装置。
【請求項５】
前記筐体内の前記排出空間の下側の位置に前記被記録媒体を前記搬送手段に供給する供給空間が形成され、
前記記録部の後方に前記供給空間に連なるＵ状搬送部が配置され、
前記搬送手段は、前記供給空間から供給された前記被記録媒体を、前記Ｕ状搬送部を経て供給空間の上側の前記排出空間から排出するように構成され、
前記インクジェットヘッドは、前記被記録媒体の搬送方向である前後方向と直交する左右方向に移動可能で、且つ、この被記録媒体の左右方向両端部よりもさらに外側の位置まで移動可能に構成されていることを特徴とする請求項１〜４の何れかに記載の記録装置。
【請求項６】
前記記録部の後方で且つ前記Ｕ状搬送部の上方の空間に、前記インクジェットヘッドから排出されるインク廃液を吸収する廃液吸収部材が配設されていることを特徴とする請求項５の何れかに記載の記録装置。
【請求項７】
前記媒体搬送空間は、前記筐体の左右方向中央部に設けられ且つ下方が開放された凹部内に形成され、
前記凹部には、前記被記録媒体を保持可能な媒体保持部が前方から着脱可能に装着され、
前記凹部に前記媒体保持部が装着された状態では、この媒体保持部により前記凹部の下方が塞がれていることを特徴とする請求項５又は６に記載の記録装置。
【請求項８】
原稿が載置されるガラス板が取り付けられたフレームと前記原稿の画像を読み取り可能な読み取り手段とを有する画像読み取り部を備え、
この画像読み取り部は、前記媒体搬送空間に関して前記カートリッジ保持部と反対側の前記筐体の縁部に回動自在に枢支されていることを特徴とする請求項５〜７の何れかに記載の記録装置。
【請求項９】
前記読み取り手段は左右方向に移動可能に配設され、
この読み取り手段と前記制御基板とを接続する配線部材が、前記画像読み取り部の回動軸側から延びていることを特徴とする請求項８に記載の記録装置。
【請求項１０】
前記制御基板は、前記画像読み取り部の回動軸近傍まで延びていることを特徴とする請求項９に記載の記録装置。
【請求項１１】
前記画像読み取り部は、前記フレームに回動自在に設けられ且つ前記ガラス板の上方を覆う原稿カバーを有し、
前記画像読み取り部の前記筐体に対する回動軸と、前記原稿カバーの前記フレームに対する回動軸とが平面視で直交していることを特徴とする請求項８〜１０の何れかに記載の記録装置。
【請求項１２】
前記画像読み取り部は、前記原稿を前記ガラス板の上面へ送る原稿送りモータを有し、
この原稿送りモータは前記画像読み取り部の回動軸の近傍位置に配設されていることを特徴とする請求項８〜１１の何れかに記載の記録装置。
【請求項１３】
前記画像読み取り部は、前記読み取り手段を左右方向に駆動する駆動モータを有し、
この駆動モータは、前記記録部の後方であって前記Ｕ状搬送部の上方の空間に配設されていることを特徴とする請求項８〜１２の何れかに記載の記録装置。
【請求項１４】
前記制御基板には、外部記憶メディアが前方から接続されるコネクタが設けられていることを特徴とする請求項１〜１３の何れかに記載の記録装置。
【発明の詳細な説明】
【技術分野】
【０００１】
本発明は、被記録媒体に画像を記録する記録装置に関する。
【背景技術】
【０００２】
従来から、プリンタ機能、ファクシミリ機能、コピー機能等を備えた多機能の記録装置が知られている。例えば、特許文献１に記載の記録装置は、記録紙にインクを吐出するインクジェットヘッドを備えたインクジェットプリンタと、このインクジェットプリンタの前後に夫々設けられた排出部及び給紙トレイと、インクジェットプリンタの上方に配置されたスキャナ等を有する。この記録装置においては、記録紙は、後方の給紙部から供給されてインクジェットプリンタで画像が記録された後、前方の排出部から排出される。また、インクジェットヘッドは、用紙搬送方向である前後方向と直交する左右方向（用紙幅方向）に往復移動可能な、いわゆる、シリアル式のヘッドである。そして、このインクジェットヘッドに供給されるインクを貯留するインクカートリッジは、排出部の下方に配置されている。
【０００３】
【特許文献１】特開２００３−２９８７９０号公報
【発明の開示】
【発明が解決しようとする課題】
【０００４】
しかし、前記特許文献１に記載の記録装置においては、インクジェットプリンタの後方に給紙トレイが設けられ、一方、前方には排出部とインクカートリッジとが設けられているため、記録装置が前後方向に長くなってしまう。また、特に、インクジェットヘッドがシリアル式のヘッドである場合には、インクジェットヘッドが記録紙の幅方向両端を越えてさらに外側の位置まで移動するように構成されることから、記録紙の搬送経路両側の空間が無駄に空いてしまうことが多い。このように、従来の記録装置においては、記録装置を構成する各種構成部品のレイアウトを工夫することによりさらに記録装置を小型化できる余地があった。
【０００５】
本発明の目的は、内部の無駄な空間が極力少なくなるように記録装置の構成部品を配置することにより、さらなる小型化が可能な記録装置を提供することである。
【課題を解決するための手段及び発明の効果】
【０００６】
第１の発明の記録装置は、被記録媒体を前後方向に搬送する搬送手段と、この搬送手段により搬送される被記録媒体にインクを吐出するインクジェットヘッドを有する記録部とを備えた記録装置であって、前記搬送手段及び前記記録部を収容する筐体と、この記録装置の動作を制御する制御基板と、前記インクジェットヘッドに供給されるインクを貯留するインクカートリッジが保持されるカートリッジ保持部とを備え、前記筐体内の前記記録部の前方の位置には、少なくとも前記記録部により記録された前記被記録媒体が排出される排出空間を含む媒体搬送空間が形成され、前記制御基板は、前方から見て前記媒体搬送空間の上方に水平に配設され、前記記録部は、前記媒体搬送空間よりも後方において、その上端位置が前記制御基板と略同じ高さ位置になるように配設され、前記カートリッジ保持部は、前方から見て少なくともその一部分が前記媒体搬送空間の一方の側方に位置し、且つ、上下方向において前記制御基板の上端位置と前記媒体搬送空間の下端位置の間に収まって配設されていることを特徴とするものである。
【０００７】
この記録装置においては、搬送手段により記録紙等の被記録媒体が前後方向に搬送されるとともに、記録部において被記録媒体に対してインクジェットヘッドからインクが吐出されて被記録媒体に画像が記録される。そして、この記録された被記録媒体は、筐体内の記録部よりも前方の位置に形成された媒体搬送空間に含まれる排出空間から排出される。
【０００８】
ここで、記録部により記録された被記録媒体を排出空間から排出するには、排出空間の上端位置が、インクジェットヘッドで記録されるときの被記録媒体の位置よりも上側にあればよく、排出空間が不必要に高い位置まで形成されている必要はない。そこで、本発明の記録装置においては、この排出空間を含む媒体搬送空間の上方に制御基板が水平に配設され、記録部は、媒体搬送空間よりも後方において、その上端位置が制御基板と略同じ高さ位置になるように配設されており、媒体搬送空間上方の空間が有効利用されている。さらに、媒体搬送空間の側方の一方に位置するようにカートリッジ保持部が設けられており、このカートリッジ保持部は、制御基板の上端位置と前記媒体搬送空間の下端位置の間に収まるように配設されている。従って、このように制御基板及びカートリッジ保持部を配置することにより、記録装置の高さをより低くすることができ、記録装置を小型化することが可能になる。
【０００９】
第２の発明の記録装置は、前記第１の発明において、前記制御基板は、前記カートリッジ保持部の上方に延出していないことを特徴とするものである。従って、カートリッジ保持部の上方からインクカートリッジの着脱作業を行うことが可能になり、着脱作業が容易になる。
【００１０】
第３の発明の記録装置は、前記第１又は第２の発明において、前方から見て前記媒体搬送空間の他方の側方の空間には、電源供給部が配設されていることを特徴とするものである。このように、電源供給部が、媒体搬送空間のカートリッジ保持部と反対側に配設されているため、媒体搬送空間の他方の側方の空間も有効に利用することができ、記録装置をより小型化することが可能になる。
【００１１】
第４の発明の記録装置は、前記第１〜第３の何れかの発明において、前記制御基板は、前記電源供給部の上方まで延出して配設されていることを特徴とするものである。そのため、実装される電子部品や端子の数が多い等の理由から比較的面積の大きな制御基板が必要な場合でも、この制御基板を電源供給部の上方にまで延出させることにより、媒体搬送空間の上方に制御基板を配設することができるため、媒体搬送空間の上方の空間を有効利用して記録装置を小型化することが可能になる。
【００１２】
第５の発明の記録装置は、前記第１〜第４の何れかの発明において、前記筐体内の前記排出空間の下側の位置に前記被記録媒体を前記搬送手段に供給する供給空間が形成され、前記記録部の後方に前記供給空間に連なるＵ状搬送部が配置され、前記搬送手段は、前記供給空間から供給された前記被記録媒体を、前記Ｕ状搬送部を経て供給空間の上側の前記排出空間から排出するように構成され、前記インクジェットヘッドは、前記被記録媒体の搬送方向である前後方向と直交する左右方向に移動可能で、且つ、この被記録媒体の左右方向両端部よりもさらに外側の位置まで移動可能に構成されていることを特徴とするものである。
【００１３】
このように、供給空間が排出空間の下側に設けられ、搬送手段が、供給空間の被記録媒体をＵ状搬送部で反転させて前方の排出空間へ搬送するように構成されているため、後方から供給された被記録媒体を前方へ排出するように構成されている場合（例えば、特許文献１参照）と比べて、記録装置の前後方向の長さを短くすることができる。また、インクジェットヘッドがいわゆるシリアル式のヘッドである場合には、インクジェットヘッドが被記録媒体の左右方向（幅方向）両端部のさらに外側まで移動するため、媒体搬送空間の両側に無駄な空間が存在することになるが、この無駄な空間にカートリッジ保持部等が配設されているため、筐体内の空間を有効利用して記録装置を小型化することが可能になる。
【００１４】
第６の発明の記録装置は、前記第５の発明において、前記記録部の後方で且つ前記Ｕ状搬送部の上方の空間に、前記インクジェットヘッドから排出されるインク廃液を吸収する廃液吸収部材が配設されていることを特徴とするものである。搬送手段による被記録媒体の搬送経路は、この被記録媒体にインクを吐出するインクジェットヘッドよりも必ず下側に位置するため、搬送経路の一部をなす、記録部後方のＵ状搬送部の上方には無駄な空間が存在することになる。そこで、このＵ状搬送部の上方の空間に廃液吸収部材を配設することにより、筐体内の空間を有効利用して記録装置をより小型化することが可能になる。
【００１５】
第７の発明の記録装置は、前記第５又は第６の発明において、前記媒体搬送空間は、前記筐体の左右方向中央部に設けられ且つ下方が開放された凹部内に形成され、前記凹部には、前記被記録媒体を保持可能な媒体保持部が前方から着脱可能に装着され、前記凹部に前記媒体保持部が装着された状態では、この媒体保持部により前記凹部の下方が塞がれていることを特徴とするものである。筐体の媒体搬送空間が形成された部分における下面を省略しても媒体保持部により媒体搬送空間の下方を覆うことができるため、記録装置の高さをより低くすることができる。さらに、着脱可能な媒体保持部を凹部から取り外すだけで、筐体内が下方に開放されるため、ジャム処理等の筐体内のメンテナンスを下方から容易に行うことができる。
【００１６】
第８の発明の記録装置は、前記第５〜第７の何れかの発明において、原稿が載置されるガラス板が取り付けられたフレームと前記原稿の画像を読み取り可能な読み取り手段とを有する画像読み取り部を備え、この画像読み取り部は、前記媒体搬送空間に関して前記カートリッジ保持部と反対側の前記筐体の縁部に回動自在に枢支されていることを特徴とするものである。従って、記録部上方の画像読み取り部をカートリッジ保持部と反対側の部分を中心に回動させて、カートリッジ保持部の上方を確実に開放させることができるため、上方からのインクカートリッジの着脱作業が容易になる。
【００１７】
第９の発明の記録装置は、前記第８の発明において、前記読み取り手段は左右方向に移動可能に配設され、この読み取り手段と前記制御基板とを接続する配線部材が、前記画像読み取り部の回動軸側から延びていることを特徴とするものである。このように、読み取り手段と制御基板とを接続する配線部材が画像読み取り部の回動軸側から延びているため、画像読み取り部を筐体に対して回動させる際に配線部材に無理な力が作用しにくくなるため、配線部材の損傷を極力防止できる。
【００１８】
第１０の発明の記録装置は、前記第９の発明において、前記制御基板は、前記画像読み取り部の回動軸近傍まで延びていることを特徴とするものである。このように、制御基板が回動軸側へ延びているため、画像読み取り部の読み取り手段等と制御基板とを接続する配線部材を短くすることができる。
【００１９】
第１１の発明の記録装置は、前記第８〜第１０の何れかの発明において、前記画像読み取り部は、前記フレームに回動自在に設けられ且つ前記ガラス板の上方を覆う原稿カバーを有し、前記画像読み取り部の前記筐体に対する回動軸と、前記原稿カバーの前記フレームに対する回動軸とが平面視で直交していることを特徴とするものである。従って、インクカートリッジを交換する際など、画像読み取り部を筐体に対して回動させるときに、原稿カバーも同時に開いてしまうのを防止できる。
【００２０】
第１２の発明の記録装置は、前記第８〜第１１の何れかの発明において、前記画像読み取り部は、前記原稿を前記ガラス板の上面へ送る原稿送りモータを有し、この原稿送りモータは、前記画像読み取り部の回動軸の近傍位置に配設されていることを特徴とするものである。従って、画像読み取り部を筐体に対して回動させる際に、原稿送りモータと制御基板とを接続する配線部材に無理な力が作用しにくくなるため、配線部材の損傷を極力防止できる。
【００２１】
第１３の発明の記録装置は、前記第８〜第１２の何れかの発明において、前記画像読み取り部は、前記読み取り手段を左右方向に駆動する駆動モータを有し、この駆動モータは前記記録部の後方であって前記Ｕ状搬送部の上方の空間に配設されていることを特徴とするものである。従って、前述の第６の発明と同様に、Ｕ状搬送部の上方の空いた空間を有効利用して記録装置を小型化することが可能になる。また、制御基板が記録部の前方に配設され、一方、駆動モータは記録部の後方に配設されているため、制御基板と駆動モータの離隔距離が大きくなり、駆動モータの作動に起因して生じるノイズが制御基板に及ぼす悪影響を抑制することができる。
【００２２】
第１４の発明の記録装置は、前記第１〜第１３の何れかの発明において、前記制御基板には、外部記憶メディアが前方から接続されるコネクタが設けられていることを特徴とするものである。制御基板は排出部の上方の位置に配設されているため、制御基板に設けられたコネクタも比較的上方に位置することになり、コネクタに外部記憶メディアを前方から装着することが容易になる。
【発明を実施するための最良の形態】
【００２３】
本発明の実施の形態について図１〜図１２を参照して説明する。本実施形態は、プリンタ機能、ファクシミリ機能、コピー機能及びスキャナ機能等を備えた複合機１に本発明を適用した一例である。尚、図１の手前側を前方と定義し、さらに、この前方から見て左右方向を左右方向と定義して以下説明する。
【００２４】
図１〜図５に示すように、複合機１（記録装置）は、ケース本体２（筐体）と、このケース本体２内に収容されたインクジェットプリンタ３（図５、図７参照）と、このインクジェットプリンタ３の上方に配置されたスキャナ４（画像読み取り部）等を備えている。
【００２５】
ケース本体２は、平面視で略正方形状に形成されている。また、このケース本体２の左右方向中央部には、前方及び下方に開口した凹状のトレイ収納部１０（凹部）が形成されており、ケース本体２は正面視で略門型形状に形成されている。トレイ収納部１０内には、記録紙Ｐ（被記録媒体：図１１参照）を前後方向に搬送するための搬送空間１２（媒体搬送空間）が形成されている。
【００２６】
トレイ収納部１０には、記録紙Ｐを保持する供給トレイ１１（媒体搬送部）が着脱可能に前方から挿入され、この供給トレイ１１は搬送空間１２内において前後方向に移動可能に配設されている。そして、供給トレイ１１がトレイ収納部１０に収納された状態では、供給トレイ１１によりトレイ収納部１０の下方が塞がれている。即ち、本実施形態の複合機１においては、トレイ収納部１０の底面が省略されて供給トレイ１１がトレイ収納部１０の底面を兼ねているため、その分、ケース本体２の高さを低くすることが可能になる。また、トレイ収納部１０から供給トレイ１１を取り外すだけで、ケース本体２内を開放することができ、ジャム処理等のメンテナンス作業が容易になる。
【００２７】
供給トレイ１１の前側部分には、左右両端部から延びるアーチ状に形成されて供給トレイ１１にセットされた記録紙Ｐの上方を覆うガイド片１３が設けられている。このガイド片１３により、供給トレイ１１上の記録紙Ｐが左右方向に位置決めされる。さらに、ガイド片１３は排紙トレイとしての機能も有しており、記録ユニット２１で記録された記録紙Ｐはガイド片１３の上面において前方へ排出される。つまり、このガイド片１３により、トレイ収納部１０内の搬送空間１２が、記録紙Ｐを供給する下方の供給空間１２ａと記録紙Ｐを排出する上方の排出空間１２ｂに分割されている。尚、図２〜図４においては、ガイド片１３の図示が省略されている。
【００２８】
また、図３、図４に示すように、ケース本体２の左側の縁部には、スキャナ４のフレーム部材１５が前方から見て横開きするように、ヒンジ１４を介して回動自在に枢支されている。図４に示すように、フレーム部材１５の裏面側には左右方向に延びる案内溝１６ａが形成されたガイドレール１６が固定されている。一方、ケース本体には、支持棒１７がその下端部において回動自在に取り付けられており、ガイドレール１６の案内溝１６ａには、支持棒１７の上端部が左右方向に相対移動可能に係合している。そして、案内溝１６ａの右端部（前後方向に延びるフレーム部材１５の回動軸と反対側の端部）に形成された係合部（図示省略）に支持棒１７の先端が係止された状態では、横開き状態のフレーム部材１５が支持棒１７により下方から支持される。
【００２９】
次に、インクジェットプリンタ３について説明する。
図５〜図７に示すように、インクジェットプリンタ３は、供給トレイ１１に収容された記録紙Ｐを前後方向に搬送する搬送機構２０（搬送手段）と、ケース本体２の後部内に配設されて記録紙Ｐに画像を記録する記録ユニット２１（記録部）とを有する。尚、図６、図８、図９に示すように、搬送機構２０及び記録ユニット２１は、ケース本体２に取り付けられた合成樹脂製のカバー２２で覆われている。
【００３０】
図５に示すように、搬送機構２０は、供給トレイ１１の先端部（後端部）の上方に配設され且つ記録ユニット２１のエンジンフレーム３３から下方に延びるアーム２３に回転自在に枢支された供給ローラ２４と、トレイ収納部１０の後方の空間に配設され且つＵ状搬送部２５ａを形成するプレート２５と、このプレート２５よりも前方で且つ記録ユニット２１より後方の位置に配設されたレジストローラ２６と、このレジストローラ２６に対向して配置された従動ローラ２７と、記録ユニット２１の前方の位置に配設された排出ローラ２８等を有する。供給ローラ２４、レジストローラ２６及び排出ローラ２８は、夫々図示しないモータにより回転駆動されるように構成されている。
【００３１】
この搬送機構２０による記録紙Ｐの搬送動作を説明する。まず、アーム２３の先端に設けられた供給ローラ２４により、記録紙Ｐが供給トレイ１１から１枚ずつ取り出されて後方のプレート２５内のＵ状搬送部２５ａに搬送され、このＵ状搬送部２５ａで前方へ反転してレジストローラ２６及び従動ローラ２７により前方の記録ユニット２１へ送られる。さらに、記録ユニット２１により画像が記録された記録紙Ｐは、排出ローラ２８により前方の排出空間１２ｂへ搬送されて排出される。このように、複合機１は、前方から供給された記録紙ＰをＵ状搬送部２５ａで反転させて前方へ排出するように構成されているため、後方から供給された記録紙Ｐを前方へ排出するように構成された場合（特許文献１参照）と比べて、複合機１の前後方向の長さを短くすることができる。
【００３２】
図５、図７に示すように、記録ユニット２１は、左右方向に往復移動可能なキャリッジ３０と、このキャリッジ３０の下部に取り付けられたインクジェットヘッド３１と、キャリッジ３０の下方に配設されたプラテン３２と、キャリッジ３０及びプラテン３２を下方から支持するエンジンフレーム３３等を備えている。キャリッジ３０は、タイミングベルト３４を介してモータ３９に連結されている。エンジンフレーム３３の上部には、左右方向に延びる前後１対のガイドプレート３５，３６が設けられており、キャリッジ３０は、これら１対のガイドプレート３５，３６上において、記録紙Ｐの幅方向両端部よりもさらに外側の位置まで移動可能に配設されている。そして、モータ３９によりキャリッジ３０が１対のガイドプレート３５，３６に沿って左右方向に往復駆動され、キャリッジ３０に設けられたインクジェットヘッド３１から、その下側の空間において前方へ搬送される記録紙Ｐに対してインクが吐出されて、記録紙Ｐに画像が記録されるようになっている。また、図１１に示すように、記録ユニット２１の右端部の下側には、ヘッドクリーニング用のメンテナンスユニット３７が配設されている。
【００３３】
ここで、供給空間１２ａから排出空間１２ｂに至る記録紙ＰのＵ字状の搬送経路は、記録紙に対してインクを吐出するインクジェットヘッド３１の下側に位置していることから、この搬送経路の一部をなすＵ状搬送部２５ａを形成するプレート２５の上方で且つインクジェットヘッド３１が取り付けられたキャリッジ３０の後方には、無駄な空間が存在することになる。そこで、図５、図６、図１１に示すように、本実施形態の複合機１においては、このプレート２５の上方で且つキャリッジの後方の空間のうち、右側略２／３の部分に、メンテナンスユニット３７によるメンテナンス作業時にインクジェットヘッド３１のノズルから吐出されたインク廃液を吸収する廃液吸収部材３８が配設されており、ケース本体２内の空いた空間が有効利用されている。
【００３４】
ところで、前述したように、キャリッジ３０に設けられたインクジェットヘッド３１は、記録紙Ｐの幅方向両端部よりもさらに幅方向外側の位置まで移動可能な、いわゆる、シリアル式のヘッドである。そのため、記録ユニット２１は、記録紙Ｐが排出される排出空間１２ｂが形成されたトレイ収納部１０よりも左右方向に長く延びており（図１０、図１１参照）、トレイ収納部１０の左右両側の空間が空いてしまう。そこで、本実施形態の複合機１においては、図２、図３、図１０に示すように、トレイ収納部１０の右側にインクカートリッジ４０を保持するカートリッジホルダ４１（カートリッジ保持部）が配設され、一方、トレイ収納部１０の左側には電源供給部６０が配設されており、ケース本体２内のトレイ収納部１０の両側の空間が有効利用されている。
【００３５】
また、図５に示すように、排出ローラ２８で前方へ送り出された記録紙Ｐを排出空間１２ｂから排出するためには、排出空間１２ｂ（トレイ収納部１０）の上端位置が、記録ユニット２１からの記録紙Ｐの排出位置（排出ローラ２８の上端位置）よりも上側にあればよく、排出空間１２ｂが不必要に高い位置まで形成されている必要はない。そこで、図５、図１０〜図１２に示すように、本実施形態の複合機１では、トレイ収納部１０の上側の空間に、複合機１の動作を制御するメイン制御基板５０（制御基板）が水平に配設され、記録ユニット２１は、トレイ収納部１０の後方において、その上端位置がメイン制御基板５０と略同じ高さになるように配設されている。即ち、メイン制御基板５０と記録ユニット２１の上端が略同一面上に位置することになるため、トレイ収納部１０の上方の空間を有効利用しつつ、複合機１の高さが低く抑えられている。また、図１０に示すように、トレイ収納部１０の左右両側に設けられた、カートリッジホルダ４１、インクカートリッジ４０及び電源供給部６０は、複合機１の高さが極力低くなるように、上下方向においてメイン制御基板５０（メイン制御基板５０上のコネクタ５１）の上端位置とトレイ収納部１０の下端位置の間（図１０におけるＨの範囲内）に収まって配設されている。
【００３６】
以下、ケース本体２内に配設されたカートリッジホルダ４１、メイン制御基板５０及び電源供給部６０についてさらに詳細に説明する。
図２〜図４、図６〜図９に示すように、トレイ収納部１０の右側に配設されたカートリッジホルダ４１には、カバー２２に形成された挿入口２２ａ（図６、図９参照）を介して、４色（イエロー、マゼンタ、シアン及びブラック）のインクを夫々貯留する４つのインクカートリッジ４０が上方から挿入される。尚、これら４つのインクカートリッジ４０は前後方向に並べて配置される。また、図７に示すように、４つのインクカートリッジ４０は、チューブ４２を介して夫々インクジェットヘッド３１と接続されており、インクジェットヘッド３１からインクが吐出されたときにはこのチューブ４２を介してインクカートリッジ４０からインクがインクジェットヘッド３１に供給される。
【００３７】
図９〜図１１に示すように、トレイ収納部１０の上側に配設されたメイン制御基板５０は略矩形の平面形状を有し、左側の電源供給部６０の上方まで延出している。しかし、このメイン制御基板５０は、右側のカートリッジホルダ４１の上方には延出していない。これは、上方からのインクカートリッジ４０の装着作業がメイン制御基板５０により妨げられないようにするためである。
【００３８】
図５、図９に示すように、メイン制御基板５０には、電子部品Ｉや各種コネクタが設けられている。即ち、メイン制御基板５０の前端部の左側部分には、メディアカード接続用の２つのコネクタ５１，５２が設けられている。また、ケース本体２の前面部には、メディアカードが挿入される２つのスロット５３ａ，５３ｂが形成された前面カバー５３が設けられており、これらスロット５３ａ，５３ｂに挿入されたメディアカードがメイン制御基板５０のコネクタ５１，５２に電気的に接続されるようになっている。ここで、メイン制御基板５０がトレイ収納部１０の上方の位置に配設されているため、スロット５３ａ，５３ｂ（コネクタ５１，５２）も比較的上方に位置することになり、メディアカードをスロット５３ａ，５３ｂに装着することが容易になる。
【００３９】
また、メイン制御基板５０の後端部の右側部分には、パソコン等の外部機器との接続用のコネクタ５４及びＬＡＮ接続用のＬＡＮコネクタ５５が設けられている。また、メイン制御基板５０の後端部の左側部分には、後述するネットワーク基板６１との接続用のコネクタ５６が取り付けられている。さらに、メイン制御基板５０にはこれらコネクタ以外にも複数のコネクタが外縁に沿って設けられている。
【００４０】
図８、図１０〜図１２に示すように、トレイ収納部１０の左側には電源供給部６０が配設されており、さらに、この電源供給部６０の後方であって記録ユニット２１の左端部の下方の空間には、ネットワーク基板６１が配設されている。
【００４１】
電源供給部６０は、前後方向に長いブロック状のものであり、その内部に、商用のＡＣ電源からＣＰＵ、メモリ等の電源として使用されるＤＣ５Ｖと、モータ等のアクチュエータを作動させるためのＤＣ３０Ｖの電源を発生させる電源基板６２を有する。電源基板６２とメイン制御基板５０との間、あるいは、電源基板６２と各種モータとの間は、図示しない配線部材により接続されており、電源基板６２で発生した電圧がメイン制御基板５０及びモータに対して印加されるようになっている。
【００４２】
一方、ネットワーク基板６１は電話回線を通じて有線通信を行うための基板であり、このネットワーク基板６１には、電話回線接続用及び外付け送受話器用の２つのモジュラーコネクタ６３が設けられている。そして、このネットワーク基板６１を介して、他のファクシミリ装置とのデータ通信、及び、図示しない外付け送受話器を使用しての通話が可能に構成されている。
【００４３】
ところで、図８に示すように、電源供給部６０、ネットワーク基板６１は共に金属製の取り付け板６４に装着されて一体化された状態で、ケース本体２に取り付けられている。取り付け板６４はケース本体２の前後方向に延びる平板状の基部６４ａと、この基部６４ａの後端側から側縁部にかけて設けられた側壁６４ｂを有する。取り付け板６４の前側部分には電源供給部６０が配設され、後側部分にはネットワーク基板６１が配設されている。これら電源供給部６０とネットワーク基板６１には、専用の保護カバー６５，６６が夫々取り付けられている。電源供給部６０を保護する保護カバー６５には、電源供給部６０で発生する熱を外部へ放散するための複数の穴６５ａが形成されている。一方、ネットワーク基板６１を保護する保護カバー６６のモジュラーコネクタ６３と対面する位置には逃がし孔６６ａが形成されている。また、保護カバー６６の電源供給部６０と対面する位置には、メイン制御基板５０との接続用の電線を引き出すための開口６６ｂが形成されている。
【００４４】
ケース本体２のトレイ収納部１０の左側部分は底面に図示しない開口が形成されて下方へ開放されており、この開口から、一体化された電源供給部６０とネットワーク基板６１とがケース本体２内に装着されている。そのため、電源供給部６０及びネットワーク基板６１のみをケース本体２から取り外すことができ、メンテナンス作業が容易になる。ケース本体２の左側壁部の、ネットワーク基板６１のモジュラーコネクタ６３と対面する部分には、モジュラージャックが挿入される挿入口２ａが設けられており、さらに、その後方には、電源コード引きだし用のコード引きだし口２ｂが設けられている。
【００４５】
また、図１０に示すように、メイン制御基板５０が電源供給部６０の上方まで延出し、電源供給部６０がメイン制御基板５０のほぼ真下に位置しているため、メイン制御基板５０と電源基板６２との間を接続する電線を極力短くすることができる。
【００４６】
次に、スキャナ４について説明する。
図４、図５に示すように、スキャナ４は、フレーム部材１５と、このフレーム部材１５に取り付けられた原稿台としてのガラス板７０と、原稿の画像を読み取る読み取りユニット７１（読み取り手段）と、ガラス板７０の上方を覆う原稿カバー等７２を有する。
【００４７】
図４に示すように、フレーム部材１５は、ケース本体２の左端部にヒンジ１４を介して回動自在に枢支されている。即ち、フレーム部材１５は、カートリッジホルダ４１と反対側の部分を中心に回動するように構成されているため、カートリッジホルダ４１の上方を確実に開放させることができ、インクカートリッジ４０の着脱作業が容易になる。また、図１〜図４に示すように、フレーム部材１５の前端部には、キーやタッチパネル等を備えた操作パネル７３が設けられている。
【００４８】
ガラス板７０の上面には原稿が載置され、このガラス板７０を挟んで原稿と対向するように読み取りユニット７１が配置されている。読み取りユニット７１は、例えば、密着型イメージセンサ（Contact Image Sensor：ＣＩＳ）等の画像読み取りセンサを備えている。図５に示すように、読み取りユニット７１の前後には１対のスライダ７４が設けられている。また、読み取りユニット７１は駆動モータ７５（図３、図６、図１１、図１２参照）に連結されており、読み取りユニット７１は駆動モータ７５により駆動されて、スライダ７４を介して、フレーム部材１５に対して左右方向に往復移動しながらガラス板７０上の原稿の画像を読み取るように構成されている。また、読み取りユニット７１の前後方向中央部の下端部に形成された凹部７１ａに左右方向に延びるガイド軸７６が相対移動可能に嵌合しており、このガイド軸７６により読み取りユニット７１は左右方向に案内される。
【００４９】
図４に示すように、読み取りユニット７１の画像読み取りセンサは、フレキシブルフラットケーブル等の可撓性を有する配線部材７７によりメイン制御基板５０と接続されている。ここで、メイン制御基板５０は電源供給部６０の上方のスキャナ４の回動軸近傍（ケース本体２の左端部）まで延びており、配線部材７７は、メイン制御基板５０の回動軸近傍の部分から読み取りユニット７１まで延びている。そのため、スキャナ４をケース本体２に対して回動させる際に配線部材７７に無理な力が作用して、配線部材７７が損傷してしまうのを極力防止でき、さらに、配線部材７７の長さを極力短くすることも可能になる。
【００５０】
図３、図１１、図１２に示すように、読み取りユニット７１を左右方向に往復移動させる駆動モータ７５は、フレーム部材１５の左端部の後部において下方へ突出するように設けられている。尚、図３において、駆動モータ７５は、フレーム部材１５の左端部の後部において、下方に突出した部分に収納されている。そして、この駆動モータ７５は、スキャナ４がケース本体２の上方に位置している状態（図２の状態）では、記録ユニット２１の後方に配置されたＵ状搬送部２５ａを形成するプレート２５の上方の、左側略１／３の空間（廃液吸収部材３８に隣接する凹状の空間：図６参照）に収容されるようになっており、記録ユニット２１後方の空いた空間が有効利用されている。また、メイン制御基板５０が前方に配置され、一方、駆動モータ７５が後方に配置されているため、駆動モータ７５の作動に起因して発生するノイズがメイン制御基板５０に悪影響を及ぼすのを極力防止することができる。
【００５１】
図５に示すように、原稿カバー７２は、フレーム部材１５の後端部にヒンジ７８を介して回動可能に取り付けられている。そのため、左右方向に延びる、原稿カバー７２のフレーム部材１５に対する回動軸と、前後方向に延びる、フレーム部材１５のケース本体２に対する回動軸は、平面視で直交している。従って、フレーム部材１５をケース本体２に対して回動させて横開き状態にしたときに、同時に原稿カバー７２も開いてしまうことが防止される。
【００５２】
以上説明した複合機１によれば次のような効果が得られる。
図１０に示すように、トレイ収納部１０の上方にメイン制御基板５０が水平に配設され、記録ユニット２１は、トレイ収納部１０の後方において、その上端位置がメイン制御基板５０と略同じ高さになるように配設されている。従って、トレイ収納部１０の上方の空いた空間を有効利用するとともに、複合機１の高さを低くすることができる。さらに、記録ユニット２１がトレイ収納部１０よりもさらに左右へ延びていることに起因して生じるトレイ収納部１０の左右両側の空間に、インクカートリッジ４０を保持するカートリッジホルダ４１及び電源供給部６０が夫々配置されている。そして、カートリッジホルダ４１、インクカートリッジ４０及び電源供給部６０は、上下方向においてメイン制御基板５０の上端位置とトレイ収納部１０の下端位置の間に収まって配設されている。そのため、複合機１の高さを極力低くすることができ、複合機１のさらなる小型化が可能になる。
【００５３】
次に、前記実施形態に種々の変更を加えた変更形態について説明する。但し、前記実施形態と同様の構成を有するものについては、同じ符号を付して適宜その説明を省略する。
１］原稿を自動的に送る自動送り機構を有するスキャナを備えた複合機に本発明を適用することもできる。図１３、図１４に示すように、この複合機１Ａのスキャナ４Ａは、フレーム部材１５Ａと、原稿カバー７２Ａと、給紙トレイ部８０及び排紙トレイ部８１と、給紙トレイ部８０の原稿を読み取りユニット７１（前記実施形態の図４、図５参照）による読み取り位置へ搬送し、さらに、画像が読み取られた後の原稿を排紙トレイ部８１から排出する自動送り機構８２とを備えている。
【００５４】
スキャナ４Ａのフレーム部材１５Ａは、前記実施形態と同様に、ケース本体２の左端部に回動自在に枢支されている。さらに、原稿カバー７２Ａも、前記実施形態と同様に、フレーム部材１５Ａの後端部に回動自在に取り付けられている。給紙トレイ部８０は原稿カバー７２Ａの上面に配設され、さらに、この給紙トレイ部８０の上方に排紙トレイ部８１が配設されている。そして、給紙トレイ部８０は原稿を左方の自動送り機構８２に案内し、排紙トレイ部８１は、自動送り機構８２から排出された原稿を右方へ案内する。尚、原稿カバー７２Ａの右端部には、排出された原稿を受け止める原稿ストッパー８３が設けられている。
【００５５】
図１４、図１５に示すように、自動送り機構８２は、原稿カバー７２Ａの左端部に開閉自在に設けられた蓋カバー８４と、ガラス板７０（前記実施形態の図５参照）の上方に位置して原稿をガラス板７０に押しつける押圧板８５と、原稿を１枚ずつ蓋カバー８４内に吸入する吸入ローラ８６及び分離ローラ８７と、吸入された原稿の搬送方向を反転させる反転ローラ８８とを有する。吸入ローラ８６及び分離ローラ８７は押圧板８５に回転自在に枢支されている。図１５に示すように、反転ローラ８８は、駆動軸８９を介して原稿カバー７２Ａに回転自在に設けられている。また、蓋カバー８４の内面には、吸入ローラ８６及び分離ローラ８７に夫々弾力的に当接可能な２つのパッド状部材９０，９１と、反転ローラ８８に弾力的に当接可能な２つの従動ローラ９２，９３とが設けられている。
【００５６】
原稿カバー７２Ａの蓋カバー８４よりも後側の位置にはケース部材９４が設けられている。このケース部材９４には、原稿送りモータ９５と、この原稿送りモータ９５の回転駆動力を吸入ローラ８６、分離ローラ８７及び駆動軸８９に夫々伝達する伝動ギヤ機構９６が収容されている。そして、原稿送りモータ９５の回転駆動力により、吸入ローラ８６及び分離ローラ８７が回転駆動されて、給紙トレイ部８０の原稿が１枚ずつ蓋カバー８４内に吸入される。さらに、原稿送りモータ９５により反転ローラ８８が回転駆動されて、吸入された原稿の搬送方向が左方から右方へ反転し、反転ローラ８８の下方の読み取り位置において、原稿の画像が読み取りユニット７１により読み取られる。そして、画像が読み取られた原稿は排紙トレイ部８１に排出される。
【００５７】
ここで、原稿送りモータ９５は、前後方向に延びる、スキャナ４Ａの回動軸の近傍位置（フレーム部材１５Ａの左端部）に配設されているため、スキャナ４Ａをケース本体２に対して回動させる際に、原稿送りモータ９５とメイン制御基板５０（前記実施形態の図５等参照）とを接続する配線部材（図示省略）や、原稿送りモータ９５と電源供給部６０（図８参照）とを接続するケーブル９７に無理な力が作用しにくくなるため、この配線部材やケーブル９７の損傷を極力防止できる。また、原稿送りモータ９５がメイン制御基板５０と反対側の、複合機１Ａの後部に設けられているため、この原稿送りモータ９５の作動に起因して発生するノイズがメイン制御基板５０に悪影響を及ぼすのを極力防止することができる。
【００５８】
２］前記実施形態の複合機１（１Ａ）では、トレイ収納部１０には排紙トレイを兼ねる供給トレイ１１が装着されており、記録紙Ｐは前方の供給空間１２ａから供給されて、ケース本体２内で１８０度反転して前方の排出空間１２ｂから排出されるように構成されているが、トレイ収納部１０内には排出空間１２ｂのみが形成されており、記録紙Ｐが例えば後方から供給されて前方の排出空間１２ｂから排出されるように構成されていてもよい。
【００５９】
３］前記実施形態のように、トレイ収納部１０の底面が省略されて下方へ開放している必要は必ずしもなく、供給トレイ１１が挿入される前方にのみ開放した形状であってもよい。
【００６０】
４］トレイ収納部１０の両側に夫々配設されたカートリッジホルダ４１と電源供給部６０の位置は、左右逆であってもよい。但し、前記実施形態の複合機１のように、インクカートリッジ４０が上方から交換されるように構成されている場合には、この交換作業を容易にするために、カートリッジホルダ４１は、スキャナ４の回動軸と反対側に配置されていることが好ましい。一方、複合機が、インクカートリッジ４０が前方あるいは側方から交換されるように構成されている場合には、カートリッジホルダ４１はトレイ収納部１０に対して左右何れの位置に配置されていてもよい。
【図面の簡単な説明】
【００６１】
【図１】本発明の実施形態に係る複合機の斜視図である。
【図２】複合機の正面図である。
【図３】複合機（スキャナが回動位置にある状態）の正面図である。
【図４】複合機（スキャナが回動位置にある状態）の斜視図である。
【図５】図２のV-V線断面図である。
【図６】図２のVI-VI線矢視図である。
【図７】ケース本体内部の斜視図である。
【図８】ケース本体、電源供給部及びネットワーク基板の分解斜視図である。
【図９】ケース本体及びカバーの分解斜視図である。
【図１０】主要な構成部品の配置を示す複合機の概略正面図である。
【図１１】複合機の概略平面図である。
【図１２】複合機の概略左側面図である。
【図１３】変更形態の複合機（蓋カバー閉止状態）の斜視図である。
【図１４】変更形態の複合機（蓋カバー開放状態）の斜視図である。
【図１５】自動送り機構の要部斜視図である。
【符号の説明】
【００６２】
１，１Ａ  複合機
２  ケース本体
３  インクジェットプリンタ
４，４Ａ  スキャナ
１０  トレイ収納部
１１  供給トレイ
１２ａ  供給空間
１２ｂ  排出空間
１２  搬送空間
１５，１５Ａ  フレーム部材
２０  搬送機構
２１  記録ユニット
２５ａ  Ｕ状搬送部
３１  インクジェットヘッド
３８  廃液吸収部材
４０  インクカートリッジ
４１  カートリッジホルダ
５０  メイン制御基板
５１，５２  コネクタ
６０  電源供給部
７０  ガラス板
７１  読み取りユニット
７２，７２Ａ  原稿カバー
７５  駆動モータ
７６  ガイド軸
７７  配線部材
９５  原稿送りモータ
【図１】
2006035662.tif 000003
【図２】
2006035662.tif 000004
【図３】
2006035662.tif 000005
【図４】
2006035662.tif 000006
【図５】
2006035662.tif 000007
【図６】
2006035662.tif 000008
【図７】
2006035662.tif 000009
【図８】
2006035662.tif 000010
【図９】
2006035662.tif 000011
【図１０】
2006035662.tif 000012
【図１１】
2006035662.tif 000013
【図１２】
2006035662.tif 000014
【図１３】
2006035662.tif 000015
【図１４】
2006035662.tif 000016
【図１５】
2006035662.tif 000017